(57)【要約】【課題】セメントの発注状況および納品状況に関する情報を、インターネットを経由して取得するためのシステムおよび方法を提供する。【解決手段】セメント出荷場所１０、セメント運送業者２０、または、セメント販売業者３０の端末１００、２００、３００の少なくとも１つが、セメントの出荷状況に関連する情報を記憶している記憶手段１６０、１６２、１６４にアクセスするステップ８００と、セメント出荷場所１０、セメント運送業者２０、または、セメント販売業者３０の端末１００、２００、３００の少なくとも１つが、当該セメントの出荷状況に関連する情報にアクセスすることができるように、認証サーバ１８０によってアクセス権限が与えられるステップ８０４、８０８とを含んでなるセメント販売出荷確認方法を提供する。【選択図】　　　　図８
2004094531.tif 000002
【特許請求の範囲】
【請求項１】
セメント出荷場所におけるセメントの出荷状況に関連する情報を通信するための端末と、
セメント運送業者におけるセメントの出荷状況に関連する情報を通信するための端末と、
セメント販売業者におけるセメントの出荷状況に関連する情報を通信するための端末と、
前記セメント出荷場所、前記セメント運送業者、または、前記セメント販売業者の前記端末に通信され、前記セメントの出荷状況に関連する情報を記憶する記憶手段と、
前記セメント出荷場所、前記セメント運送業者、または、前記セメント販売業者からの前記セメントの出荷状況に関連する情報へのアクセスに対して、アクセス権限を与える認証サーバと
を含むセメント販売出荷確認システムを用いるセメント販売出荷確認方法であって、
前記セメント出荷場所、前記セメント運送業者、または、前記セメント販売業者の前記端末の少なくとも１つが、前記セメントの出荷状況に関連する情報を記憶している前記記憶手段にアクセスするステップと、
前記セメント出荷場所、前記セメント運送業者、または、前記セメント販売業者の前記端末の少なくとも１つが、当該セメントの出荷状況に関連する情報にアクセスすることができるように、前記認証サーバによって前記アクセス権限が与えられるステップと
を含んでなるセメントの販売および出荷の確認方法。
【請求項２】
前記セメント出荷場所、前記セメント運送業者、または前記セメント販売業者の各ユーザが、該ユーザに関係した前記セメントの出荷状況を確認することができるステップをさらに含んでいる請求項１に記載のセメントの販売および出荷の確認方法。
【請求項３】
前記セメント出荷場所が、セメント生産工場をさらに含んでいる請求項１または２に記載のセメントの販売および出荷の確認方法。
【請求項４】
前記セメントの出荷状況に関連する情報が、セメントの輸送実績、または、セメントの出荷実績に関する情報を含んでいる請求項１から３のいずれかに記載のセメントの販売および出荷の確認方法。
【請求項５】
前記認証サーバによってアクセス権限が与えられるステップが、所定のＩＤおよびパスワードを使用することを含んでいる請求項１から４のいずれかに記載のセメントの販売および出荷の確認方法。
【発明の詳細な説明】
【０００１】
【発明の属する技術分野】
本発明は、セメントの生産工場あるいはセメント出荷場所（サービスステーション）から出荷されるセメントの出荷量・出荷日時・出荷先・購入者等の販売および出荷状況に関する情報を取得するためのセメントの販売および出荷の確認方法に関する。
【０００２】
【従来の技術】
セメントの商取引は、セメントを生産するための生産工場やセメントを出荷前に確保しておく出荷場所（サービスステーション）を有するセメントメーカと、建設現場での使用や建材加工のためにセメントを購入する購入者（顧客）と、セメントメーカからセメントを仕入れ、仕入れたセメントを購入者（顧客）に販売するセメント販売業者と、購入者（顧客）からのセメント購入依頼により原料となるセメントを購入者（顧客）の希望する建設現場や建材加工工場へと輸送するセメント運送業者とによって一般に構成されている。
通常は、購入者（顧客）が必要な量のセメントの供給をセメント販売業者に依頼する。そして、この依頼を受けたセメント販売業者からセメントの運送に関する依頼をセメント運送業者に対して行う場合と、購入者（顧客）からセメントの供給を受けたセメント販売業者が、一旦セメントメーカに対してセメントの納品に関する依頼を行い、セメントメーカからセメント運送業者にセメントの運送を依頼する場合とがある。そして、セメント運送業者は、購入者（顧客）が使用または保管を希望する場所に輸送し、その納品後に購入者（顧客）がセメント販売業者に対してセメント代金を支払い、またセメント販売業者はセメントメーカに対してセメント仕入れ代金を支払う。更にセメント販売業者またはセメントメーカがセメント運送業者に対してセメント運送代金を支払うというシステムになっている。このようなセメントの商取引では、セメントの売買に関するお互いの情報交換の手段として、セメント販売業者とセメントメーカ間あるいはセメント販売業者と購入者（顧客）間において、電話またはＦＡＸおよび郵送書類によって通常対応している。最近では、セメントメーカからセメント販売業者に対して、出荷実績の一覧表をＦＡＸで送る代わりに、例えば、添付ファイルとして電子メールで送信することも行われている。
【０００３】
ここで、セメント販売物流の問題点として、セメントの物流と、セメントの売買とに関する情報が一致しないという状況が発生することがある。これは、購入者（顧客）が必要な量のセメントの供給をセメント販売業者に依頼することなく、直接セメント運送業者に供給の依頼を行うことから発生する。このことは、購入者（顧客）のセメント運送業者に対する供給の依頼をもって、購入者（顧客）からセメント販売業者に対する発注の意味およびセメント運送業者に対する運送の依頼の意味を併せ持つものとなっている。セメント販売業者は事後に購入者（顧客）からの購入希望数量および購入した実績を把握することになり、その方法もセメントメーカからのＦＡＸまたは郵送書状または電話などにより受信待ちの体制となっている。
更に、セメントの運送は時々刻々行われ、建設現場で使用する購入者（顧客）の場合、何時に納品されるかの問い合わせをセメント販売業者またはセメント運送業者に対して行うことがある。問い合わせを受けたセメント販売業者の場合は、セメント運送業者に対して問い合わせを行い、更にそのセメント運送業者はセメント運送をしているトラック運転手に対して携帯電話による問い合わせを行い、購入者（顧客）に対して回答している。トラック運転手への連絡が不通である場合には、直接セメントメーカの出荷場所に対して、出荷の有無および出荷時刻の問い合わせを行い対応している。
【発明が解決しようとする課題】
【０００４】
購入者（顧客）が、セメント販売業者を介さずにセメント運送業者に直接、供給（＝運送）の依頼をする場合には、セメント販売業者がセメントの発注状況や出荷実績を把握することが困難であり、また時々刻々と出荷されているトラックの状況をセメント運送会社とセメント販売業者または購入者（顧客）が把握することも困難になってきている。
【０００５】
【課題を解決するための手段】
本発明は、このような従来の問題を解決するために、セメント販売業者またはセメント運送業者または購入者（顧客）がセメントメーカに問い合わせることなく、インターネットを経由してセメントの生産工場あるいはセメント出荷場所（サービスステーション）から出荷されるセメントの出荷量・出荷日時・出荷先・購入者等の出荷実績を確認することができるセメント販売出荷確認方法を提供する。
具体的には、セメント出荷場所におけるセメントの出荷状況に関連する情報を通信するための端末と、セメント運送業者におけるセメントの出荷状況に関連する情報を通信するための端末と、セメント販売業者におけるセメントの出荷状況に関連する情報を通信するための端末と、前記セメント出荷場所、前記セメント運送業者、または、前記セメント販売業者の前記端末に通信され、前記セメントの出荷状況に関連する情報を記憶する記憶手段と、前記セメント出荷場所、前記セメント運送業者、または、前記セメント販売業者からの前記セメントの出荷状況に関連する情報へのアクセスに対して、アクセス権限を与える認証サーバとを含むセメント販売出荷確認システムを用いるセメント販売出荷確認方法であって、前記セメント出荷場所、前記セメント運送業者、または、前記セメント販売業者の前記端末の少なくとも１つが、前記セメントの出荷状況に関連する情報を記憶している前記記憶手段にアクセスするステップと、前記セメント出荷場所、前記セメント運送業者、または、前記セメント販売業者の前記端末の少なくとも１つが、当該セメントの出荷状況に関連する情報にアクセスすることができるように、前記認証サーバによって前記アクセス権限が与えられるステップとを含んでなるセメント販売出荷確認方法を提供する。ここで、前記セメント出荷場所、前記セメント運送業者、または前記セメント販売業者の各ユーザが、該ユーザに関係した前記セメントの出荷状況を確認することができるステップをさらに含んでいる態様や、前記セメント出荷場所が、セメント生産工場をさらに含んでいる態様や、前記セメントの出荷状況に関連する情報が、セメントの輸送実績、または、セメントの出荷実績に関する情報を含んでいる態様や、前記認証サーバによってアクセス権限が与えられるステップが、所定のユーザＩＤおよびパスワードを使用することを含んでいる態様が好ましい。
【０００６】
本発明における「セメント」とは、粉末の状態または紙袋またはフレキシブルコンテナパック等で取引され、建設資材として使用され、また建材の原料となるものを意味する。また、「セメントの売買に関する情報」とは、セメントの生産工場あるいはセメント出荷場所（サービスステーション）から出荷されたセメントの出荷量・出荷日時・出荷先・購入者等の出荷実績を意味する。
【０００７】
「セメント出荷場所」とは、セメント工場において生産された粉末の状態のセメントを出荷前に一時的に保管しておく場所を意味する。したがって、ここでの「セメント出荷場所」は、セメント生産工場も含みうる。
【０００８】
また、「セメント販売業者」とは、セメントを販売するための窓口となる取次店や販売店を含んでいる。また、「セメント運送業者」は、上記のセメントを少なくとも運送することができる運送店を含んでいる。
【０００９】
「端末」とは、相互に情報を通信することができる媒体を含んでいる。このため、ここでの「端末」には、例えば、デスクトップコンピュータ、モバイルコンピュータ、携帯電話、または、ＰＤＡを含みうる。
【００１０】
前記セメント出荷場所の端末と、前記セメント運送業者の端末と、前記セメント販売業者の端末と、前記記憶手段との間は、例えば、ＩＳＤＮやインターネットを介して情報を通信することができる。
【００１１】
ここでの「ユーザ」とは、自己の発注したセメントの出荷状況や輸送状況の確認を希望する全ての者を意味している。具体的には、「ユーザ」は、セメント販売業者だけでなく、建設現場や建材加工において必要となるセメントをセメント販売業者を介して発注依頼した購入者（顧客）も含みうる。このため、購入者（顧客）は、セメント販売業者やセメント運送業者を介することなく、直接に自己の発注依頼したセメントの出荷状況や輸送状況について把握することができる。
【００１２】
【発明の実施の形態】
以下、本発明の実施形態について図面を参照して説明する。本発明のセメント販売出荷確認方法を実施するためのシステムを図１に示す。本システムは、セメント出荷場所１０のコンピュータ１００と、セメント生産工場１２のコンピュータ１２０と、セメント出荷場所１０とセメント生産工場１２とのコンピュータ１００、１２０に通信回線１５（例えば、ＩＳＤＮやＡＤＳＬ）によってそれぞれ接続された支店１４のコンピュータ（または、支店サーバ）１４０と、支店１４のコンピュータ１４０と接続され、ＷＡＮやＬＡＮ１６６を介して互いに接続されたデータベース用サーバ１６０とコンテンツ作成サーバ１６２と社外公開用サーバ１６４とを含む社内ネットワーク（または、イントラネットゾーン）１６と、社内ネットワークにインターネット４０を介して接続するセメント運送業者２０のコンピュータ２００およびセメント販売業者３０のコンピュータ３００と、セメント運送業者２０のコンピュータ２００およびセメント販売業者３０のコンピュータ３００に社内ネットワーク１６内の社外公開用サーバ１６４にアクセスする権限を与える認証サーバ１８０と、インターネット４０とＬＡＮ１６６との間にあり、インターネット４０との通信を認証サーバ１８０によって選択的に許可または拒否するためのファイアウォール（ｆｉｒｅ　ｗａｌｌ、または、Ｆ／Ｗとよぶ）１８２とを含んでいる。
【００１３】
セメント出荷場所１０およびセメント生産工場１２のコンピュータ１００、１２０と、支店１４のサーバ１４０とはほぼリアルタイムに通信している。そして、支店１４のサーバ１４０と、社内ネットワーク１６のデータベースサーバ１６０とはＷＡＮにより一定の時間間隔で通信している。このようにして、セメントメーカ側のセメントの出荷状況に関する情報、例えば、セメントの出荷数量やセメントの出荷日時などが社内ネットワーク１６のデータベースサーバ１６０に記憶される。このように、セメント出荷場所またはセメント生産工場からの出荷実績に関する情報が、支店を経由して、社内イントラネット１６内に設置されたデータベースサーバ１６０に記憶される。そして、ＬＡＮ１６６を介して、必要な情報がデータベースサーバ１６０からコンテンツ作成サーバ１６２に特定の書式に加工された形で記憶される。
【００１４】
次に、セメント運送業者２０またはセメント販売業者３０が、それぞれのセメントの出荷状況に関連する情報を取得することについて説明する。セメント運送業者２０またはセメント販売業者３０は、コンピュータ２００、３００を使用してインターネットを介して、ファイアウォール１８２と認証サーバ１８０を経由して上記の社内ネットワーク１６の社外公開用サーバ１６４にアクセスする。このときの通信内容はＳＳＬ（ｓｅｃｕｒｅ　ｓｏｃｋｅｔ　ｌａｙｅｒ）により暗号化されているため漏洩の心配はない。また、ユーザＩＤおよびパスワードによる認証やサーバ認証や必要に応じてクライアント認証がさらに実行されるため、より高度なセキュリティが確保されている。
【００１５】
このような通信を受けると、非武装地帯（ＤｅＭｉｌｉｔａｒｉｚｅｄ　Ｚｏｎｅ：以下、「ＤＭＺ」とよぶ）にある認証サーバ１８０が、ユーザＩＤおよびパスワードを用いて通信先を認証する。そして、所定のユーザＩＤおよびパスワードであることが認証されると、この通信先がファイアウォール１８２を通過して社外公開用サーバ１６４に接続することができるように通信先に応じて所定のアクセス権限を与える。なお、このような通信先に応じたアクセス権限の付与については後述する。このように、所定のアクセス権限が与えられると、認証を受けた通信先は、コンテンツ作成サーバ１６２で画面構成されたセメントの出荷状況に関連する情報を、社外公開用サーバ１６４およびインターネット４０を介して照会することができる。そして、通信先では、この照会された情報を取得することができる。この情報の取得は、例えば、セメントの出荷数量が記載され、Ｍｉｃｒｏｓｏｆｔ社のアプリケーションソフトウエアであるＥＸＣＥＬ（登録商標）と互換性を有するデータ形式にされた出荷実績をダウンロードすることを含む。このように所定のアプリケーションソフトとの互換性を有するデータ形式で情報を取得することができるため、販売業者は出荷実績の確認作業が容易となり、業務の効率化が図られる。
【００１６】
次に、上記の認証サーバ１８０での認証方法について図２に示す。ここで、ユーザは、認証サーバ１８０に対する所定のユーザＩＤおよびパスワード（２１０）と、ユーザＩＤおよび固定パスワード（２２０）との２つの組み合わせからなるパスワードを有している。まず認証サーバ１８０に対する所定のユーザＩＤおよびパスワード（２１０）が入力されると、認証サーバ１８０は、ユーザＩＤおよびパスワードを格納しているＬＤＡＰ（Ｌｉｇｈｔ　Ｄｉｒｅｃｔｏｒｙ　Ａｃｃｅｓｓ　Ｐｒｏｔｏｃｏｌ）サーバ１６１に対して、このユーザＩＤおよびパスワードが正しいかどうかを確認する。正しければ、登録されているユーザＩＤおよび固定パスワード（２２０）に基づいて、社外公開用サーバ１６４への所定のアクセス権限を与える。ここで、社外公開用サーバ１６４は、例えば、システム利用可能なユーザＩＤリストを含むデータベースサーバ１６０からの情報や、従業員およびその所属に関する情報を含むシステム利用者データベース１６８からの情報を含みうる。これにより、ユーザは、データベースサーバ１６０のシステム利用可能ユーザＩＤリストに基づいて、例えば、そのユーザに関連するセメントの出荷状況等を確認することができる。また、従業員は、システム利用者データベース１６８の従業員およびその所属に関する情報に基づいて、例えば、従業員の所属する事業所のセメントの出荷状況や輸送状況等を確認することができる。
【００１７】
また、上記の各ユーザまたは従業者が情報を確認することができる範囲を定めた照会セキュリティについて図３を用いて説明する。まず、図３Ａには、販売業者名称４０１と、取引先コード４０２と、集約取引先コード４０３と、売上計上支店４０４とを含む販売業者一覧が示されている。一例としては、販売業者（本社）は自社の全ての営業所の実績を参照することができる。また、販売業者（営業所）は自営業所の実績のみを参照することができる。さらに、セメントメーカであるＡＢＣ社本社営業部は全ての実績を参照することができる。そして、セメントメーカであるＡＢＣ社支店は、自己の支店の実績を参照することができる。そして、図３の払出実績に示すように、図３Ａの取引コード４０２と集約取引先コード４０３とに基づいて、それぞれの実績を集計することができる。また、図３Ｃに示すように、ログイン所属４２０に応じたアカウント４２２と照会可能ページ４２４とを予め決定することにより、ログイン所属４２０に応じたセキュリティ管理をすることができる。
【００１８】
次に、各セメント出荷場所からのセメント出荷実績の集計について図４を参照して説明する。各セメント出荷場所１０ｂのコンピュータに入力されたセメント出荷実績データ１０２ｂが、そのセメント出荷場所に対応する各支店１４ｂに所定の時間間隔（例えば、１分間隔）で通信されてセメント出荷実績データ１４０ｂとして支店サーバ１４０に記憶される。
【００１９】
次に、セメント払出実績について説明する。各支店１４ｂへと通信されたセメント出荷実績データ１４０ｂに基づいて、セメント払出実績データ１４２ｂを集計する。このときの集計は、例えば、所定の時間間隔（例えば、１分間隔）で行う。そして、このセメント払出実績データ１４２ｂが、例えば、本社の社内ネットワーク１６に所定の時間間隔（例えば、１日に２回の時間間隔）でさらに通信され、セメント払出実績データ１６ａとして社内ネットワーク１６のデータベースサーバ１６０に記憶される。また、必要に応じて、このセメント払出実績データ１６ａに基づいて、例えば、１月単位のセメント払出実績データ１６ｂを集計することもできる。これらセメント払出実績データは、コンテンツ作成サーバ１６２に所定の時間間隔（例えば、１日に２回の時間間隔）で通信されて出荷公開データ１６ｃに変換されて記憶される。この出荷公開データ１６ｃは、例えば、得意先、セメント出荷場所、セメント販売業者、セメントユーザ（購入者）にそれぞれ区別され、さらに帳票形式のデータ１６ｄとして集計することもできる。このように集計されたデータが、図１に示されるＬＡＮ１６６を介して社内公開用サーバに所定の時間間隔（例えば、１日に２回の時間間隔）で通信されて記憶される。
【００２０】
次に、各セメント販売業者からのセメント輸送実績の集計について説明する。上記に説明したように、各セメント出荷場所１０ｂのコンピュータに入力されたセメント輸送実績データが、そのセメント出荷場所に対応する支店１４ｂに通信される点については、セメント出荷実績の場合と同じである。そして、支店１４ｂに通信されたセメント出荷実績データ１４０ｂに基づいて、セメント輸送実績データ１４４ｂを集計する。このときのセメント輸送実績データ１４４ｂの集計は、できれば随時リアルタイムに実行されることが望ましい。それは、セメントが出荷されているか否かを示すこのセメント輸送実績データが、セメント販売業者やセメント運送業者に対してできるだけ速やかに公開され更新されることが好ましいからである。そして、このセメント輸送実績データ１４４ｂが、例えば、本社の社内ネットワーク１６に所定の時間間隔（例えば、１分間隔）でさらに通信され、セメント輸送実績データ１６ｅとして社内ネットワーク１６のデータベースサーバ１６０に記憶される。また、必要に応じて、このセメント輸送実績データ１６ｅに基づいて、セメント輸送実績データ１６ｅを帳票形式としたデータ１６ｆとして記憶することもできる。このような輸送実績データ１６ｅは、例えば、セメント出荷場所、セメント販売業者、セメントの購入者にそれぞれ区別して集計することができる。
【００２１】
本発明で使用されるセメント販売出荷確認システムにおける実際のコンピュータ上の画面操作について、図５を参照して説明する。まず、所定のＵＲＬへとアクセスすると、ＩＤとパスワードを要求するダイアログボックスが表示される。ここで、所定のユーザＩＤおよびパスワードを入力して認証されると、図５に示す操作画面へのアクセスが可能となる。該当する支店の出荷先と出荷日時と出荷場所と数量とデータ件数等とが、図５には表示されている。図５の画面上段のメニューバーは、「目次」６００と、「最初へ」６０２と、「前へ」６０４と、「次へ」６０６と、「最後へ」６０８と、「ジャンプ」６１０と、「サーチ」６１２と、「ダウンロード印刷」６１４とを含んでいる。「目次」６００を選択すると、照会可能な販売業者名やユーザ名に関するページを表示させることができる。「最初へ」６０２と、「前へ」６０４と、「次へ」６０６と、「最後へ」６０８と、「ジャンプ」６１０と、「サーチ（検索）」６１２とについては、通常のブラウザの操作と同様の機能を有するものである。また、「ダウンロード印刷」６１４を選択すると、表示ページまたは全てのページをＰＤＦファイル形式でダウンロードすることができる。
【００２２】
また、図５は、「データ検索」６１８と、「ＣＳＶダウンロード」６２０とを画面上にさらに含んでいる。ここで、「データ検索」６１８は、販売業者の入力欄６１８ａと、ユーザの入力欄６１８ｂと、売約番号の入力欄６１８ｃとを含んでおり、各入力に関連したデータを検索して表示することができる。また、「ＣＳＶダウンロード」６２０では、表示販売店と、表示ユーザと、表示販売店および表示ユーザの全てを選択するための表示６２０ａ、６２０ｂ、６２０ｃとをそれぞれ含んでいる。各入力に対応して、その入力に関連した項目が画面に表示される。そして、その項目に関連するデータを所定の形式でダウンロードすることができる。
【００２３】
次に、セメント輸送実績を図６に、セメント出荷実績の検索画面を図７にそれぞれ示す。図６に示すセメント輸送実績は、例えば、図７の検索画面から所定の検索条件を入力することによって得られる。ここで、図７のセメント輸送実績の検索条件として、「支店」、「荷姿」、「積込日」、「着日」、「出荷場所」、「出荷Ｎｏ．」、「協力運送会社」、「車輌番号」の検索条件を入力することができる。これらの入力により、図６に示すセメント輸送実績の場合と同様に、各検索条件に関連するデータを画面に表示させることができる。このような検索機能を有することにより、仮に入力された情報が断片的なものであっても、所望のデータを検索して取得することもできる。
【００２４】
上記のセメント販売流通システムを用いたセメントの輸送実績およびセメント出荷実績の確認方法について、図８を用いて説明する。ステップ８００では、セメント出荷場所１０、セメント販売店２０、または、セメント運送店３０に設置された端末から公開用サーバ１６４にアクセスする。これは、例えば、インターネットを介して所定のＵＲＬを入力することにより実行することができる。そして、ステップ８０２では、このアクセスに対して、認証サーバ１８０が各ユーザに対して所定のユーザ名およびパスワードの入力を求める。ステップ８０４では、この入力されたユーザ名およびパスワードを認証サーバが認証する。もし、所定のユーザ名およびパスワードでなければ、ステップ８０４において、認証サーバがデータベースサーバ１６０へのアクセスを拒否する（ステップ８０６）。所定のユーザ名およびパスワードであれば、ステップ８０４において、認証サーバがデータベースサーバ１６０に記憶されているデータに対するアクセス権限を与える。そして、ステップ８１０では、認証されたユーザに対して、データベースサーバ１６０からのセメント輸送実績あるいはセメント出荷実績に関するデータの参照、またはダウンロードを許可する。
【００２５】
本発明によれば、セメント出荷実績の取得を希望するユーザが、各自のユーザＩＤおよびパスワードを用いて前記社外公開用サーバにアクセスすることにより、上記に関連する情報を参照、またはダウンロードすることができる。また、各ユーザの属性に応じたセキュリティレベルの設定もできる。このため、複数のセメント運送業者によってセメントが輸送されるような場合であっても、例えば、それぞれのセメント出荷状況だけしか確認できないようにすることができる。したがって、それぞれのセメント運送業者のセキュリティが確保されるよう十分な配慮がなされている。
【００２６】
また、本発明によれば、セメント販売業者とセメント運送業者とは、セメント出荷実績をそれぞれ参照することができるため、セメントの発注業務や支払業務のさらなる効率化を実現することができる。例えば、当月、前月、前々月のセメント出荷実績の変化を把握することにより営業活動の支援となる。ここで、上記の実施態様では、セメント出荷実績が当月、前月、前々月の場合について説明したが、これに限らずに、例えば、年単位でセメントの出荷実績や輸送実績を集計することもできる。
【００２７】
【発明の効果】
以上の説明から明らかなように、本発明に開示される方法によれば、所定のユーザＩＤをもつユーザは、インターネットに接続することができる端末（例えば、コンピュータ、携帯電話、ＰＤＡ）および所定のブラウザを有していれば、必要なセメントの出荷状況や売買に関する情報を取得することができる。また、このようにして得られたセメントの出荷状況または売買に関する情報が、所定の形式の電子ファイルとしてダウンロードすることができるため、見積書または請求書の作成が容易となり、業務効率のさらなる向上についても期待できる。
【００２８】
また、本発明に開示される方法によれば、セメント販売出荷確認システムにセメントの出荷状況や売買に関連する情報がデータベースサーバ１６０に集中されて管理され、この情報がコンテンツ作成サーバ１６２や社外公開用サーバ１６４を介して、セメント運送業者またはセメント販売業者に速やかに公開される。このため、セメントの出荷状況の把握が困難であるという従来の問題について解決している。さらに、セメント販売業者またはセメント運送業者にとっては、本発明の通常の端末およびブラウザソフトを利用してセメントの出荷状況を確認することができるため、これらのセメントの出荷状況や売買に関連する情報の取得する際の操作がわかり易いというメリットもある。
【図面の簡単な説明】
【図１】本発明のセメント販売出荷確認方法において使用されるセメント販売出荷確認システム１を示すシステム構成図である。
【図２】本発明のセメント販売出荷確認方法において使用されるセメント販売出荷確認システム１でのユーザＩＤおよびパスワード管理システムを示す概略図である。
【図３】セメント販売業者ごとに異なるセキュリティレベルを設定するための照会セキュリティ画面を示す概略図である。
【図４】セメント販売出荷確認システム１において、セメント出荷場所１０ｂからの出荷実績に基づいて、セメント出荷実績およびセメント輸送実績が集計されることを示す流れ図である。
【図５】セメント販売出荷確認システム１における実際の画面表示を示す概略図である。
【図６】セメント輸送実績をリアルタイムで確認した場合にコンピュータに表示される画面の概略図である。
【図７】セメント出荷実績の検索条件を入力する場合にコンピュータに表示される画面の概略図である。
【図８】本発明のセメント販売出荷確認方法において、セメント輸送実績またはセメント出荷実績を確認するステップを示すフローチャートである。
【符号の説明】
１　セメント販売出荷確認システム
１０　セメント出荷場所
１２　セメント生産工場
１４　支店
１５　通信回線（ＩＳＤＮまたはＡＤＳＬ）
１６　社内ネットワーク
１６０　データベースサーバ
１６２　コンテンツ作成サーバ
１６４　社外公開用サーバ
１６６　ＬＡＮ
１８　非武装地帯（ＤＭＺ）
１８２　ファイアウォール（Ｆ／Ｗ）
２０　セメント運送業者
３０　セメント販売業者
４０　インターネット
１００、１２０、１４０、２００、３００　サーバまたはパーソナルコンピュータ
【図１】
2004094531.tif 000003
【図２】
2004094531.tif 000004
【図３】
2004094531.tif 000005
【図４】
2004094531.tif 000006
【図５】
2004094531.tif 000007
【図６】
2004094531.tif 000008
【図７】
2004094531.tif 000009
【図８】
2004094531.tif 000010